(57)【要約】【課題】イニシャルコスト及びランニングコストにおいても有利となる空調設備を提供すること。【解決手段】熱媒体を循環させる熱媒体循環流路の中途に熱交換器を設け、この熱交換器により熱交換して温調した空気を空調対象空間へ送風する空調設備において、前記熱媒体循環流路の往路と復路との間に、複数の熱交換器を並列状態に多段に配設するとともに、前記往路と各熱交換器との間にそれぞれ二方弁を介設し、負荷に応じて前記二方弁を選択的に開閉させて温度制御を行うこととした。【選択図】図１
2007132651.tif 000002
【特許請求の範囲】
【請求項１】
熱媒体を循環させる熱媒体循環流路の中途に熱交換器を設け、この熱交換器により熱交換して温調した空気を空調対象空間へ送風する空調設備において、
前記熱媒体循環流路の往路と復路との間に、複数の熱交換器を並列状態に多段に配設するとともに、前記往路と各熱交換器との間にそれぞれ二方弁を介設し、負荷に応じて前記二方弁を選択的に開閉させて温度制御を行うことを特徴とする空調設備。
【請求項２】
前記往路と前記複数の熱交換器とをそれぞれ連通連結する複数の分岐往路と、
前記復路と前記複数の熱交換器とをそれぞれ連通連結する複数の分岐復路と、
を備え、
前記各分岐往路に前記二方弁を配設し、隣接する熱交換器同士のうち、上手側の熱交換器と連通する分岐復路の中途と下手側の熱交換器と連通する分岐往路の前記二方弁の下流側とを三方弁を介して連通連結し、負荷に応じて前記三方弁及び前記二方弁の切り替えを制御して温度制御を行うことを特徴とする請求項１記載の空調設備。
【請求項３】
熱媒体を循環させる熱媒体循環流路の中途に熱交換器を設け、この熱交換器により熱交換して温調した空気を空調対象空間へ送風する空調設備において、
前記熱交換器内に伝熱フィンを共有する複数の熱交換部をそれぞれ独立して設け、各熱交換部と当該熱交換部の上流側をなす前記熱媒体循環流路との間にそれぞれ二方弁を介設し、負荷に応じて前記二方弁を選択的に開閉させて温度制御を行うことを特徴とする空調設備。
【発明の詳細な説明】
【技術分野】
【０００１】
本発明は、空調設備に関し、詳しくは空調設備が備える空調機への媒体循環量の制御に関する。
【背景技術】
【０００２】
従来、ビル等に設置される空調設備として、屋上や地下などに配設された熱源装置に熱媒体循環流路を介して複数の空調機（例えばエアハンドリングユニット）を接続したものが知られている（例えば、特許文献１を参照。）。
【０００３】
かかる空調設備における空調機１００は、一般に、図１４に示すように、温水又は冷水からなる熱媒体を循環させる熱媒体循環流路２００の中途に設けられており、この空調機１００の内部に設けられた熱交換器３００の導入側に前記熱媒体循環流路２００の往路２１０から通水され、熱交換器３００の送出側からは熱交換された熱媒体が復路２２０から熱源装置４００に戻るように構成されている。かかる構成によって、各空調機１００から温風や冷風など温調された空気が空調対象空間へ送風されることになる。１１０は送風機、２３０は熱媒体である水を貯留するタンクである。
【０００４】
なお、図１４において４００は熱源装置、５００は熱媒体を圧送するポンプであり、それぞれ複数備えた構成とし、空調における負荷に応じて熱源装置４００のＯＮ・ＯＦＦを制御するとともに、ポンプ５００の吐水圧に応じてポンプ５００の駆動台数を決定するように制御している。９００は熱源装置４００及びポンプ５００の制御装置である。
【０００５】
また、図１４に示すように、各空調機１００の上流側となる往路２１０には、電動弁により構成された比例式二方弁６００を設けており、空調負荷に応じて開口面積を変化させて流量を制御するようにしている。そして、低負荷時には流量を少なくなるように開口面積を減少させて空調機１００への通水量を減じ、高負荷時には開口面積を増大させて空調機１００への通水量を増大させることができる。なお、７００は空調機１００からダクト７１０を介して送風される温調空気の温度を検出する温度センサであり、温度制御装置８００を介して前記比例式二方弁６００と電気的に接続している。７２０は前記ダクト７１０の中途に設けた風量調整装置である。
【特許文献１】特開平８−４２９０１号公報
【発明の開示】
【発明が解決しようとする課題】
【０００６】
しかしながら、上記従来の空調設備で用いられる比例式二方弁６００は大口径のものであり、これは高価な上に、低負荷時には前記電動弁の応答性がそれほど良好なものではなく、一般的に低負荷であっても必要以上の水量（熱媒体量）が流れてしまいがちである。
【０００７】
そのため、熱交換前後において熱媒体の温度差がつかず、無駄なエネルギを消費して空調設備全体のＣＯＰ（エネルギ消費効率）を低下させていた。
【０００８】
すなわち、熱媒体の温度差がつかないために、熱源装置４００では駆動と停止が無駄に繰り返されたりするし、ポンプ５００についても必要以上の能力で熱媒体を送給しなければならないために過剰なエネルギを消費してしまうことになる。
【０００９】
本発明は、上記課題を解決することができ、イニシャルコスト及びランニングコストにおいても有利となる空調設備を提供することを目的としている。
【課題を解決するための手段】
【００１０】
（１）請求項１記載の本発明では、熱媒体を循環させる熱媒体循環流路の中途に熱交換器を設け、この熱交換器により熱交換して温調した空気を空調対象空間へ送風する空調設備において、前記熱媒体循環流路の往路と復路との間に、複数の熱交換器を並列状態に多段に配設するとともに、前記往路と各熱交換器との間にそれぞれ二方弁を介設し、負荷に応じて前記二方弁を選択的に開閉させて温度制御を行うこととした。
【００１１】
（２）請求項２記載の本発明では、請求項１記載の空調設備において、前記往路と前記複数の熱交換器とをそれぞれ連通連結する複数の分岐往路と、前記復路と前記複数の熱交換器とをそれぞれ連通連結する複数の分岐復路とを備え、前記各分岐往路に前記二方弁を配設し、隣接する熱交換器同士のうち、上手側の熱交換器と連通する分岐復路の中途と下手側の熱交換器と連通する分岐往路の前記二方弁の下流側とを三方弁を介して連通連結し、負荷に応じて前記三方弁及び前記二方弁の切り替えを制御して温度制御を行うことを特徴とする。
【００１２】
（３）請求項３記載の本発明では、熱媒体を循環させる熱媒体循環流路の中途に熱交換器を設け、この熱交換器により熱交換して温調した空気を空調対象空間へ送風する空調設備において、前記熱交換器内に伝熱フィンを共有する複数の熱交換部をそれぞれ独立して設け、各熱交換部と当該熱交換部の上流側をなす前記熱媒体循環流路との間にそれぞれ二方弁を介設し、負荷に応じて前記二方弁を選択的に開閉させて温度制御を行うこととした。
【発明の効果】
【００１３】
本発明によれば、空調負荷が低負荷時においても容易かつ確実に熱媒体の流量を制御することができ、熱源装置や熱媒体を循環させるための動力源などを効率良く駆動させることができるため、熱交換器へ無駄なエネルギを供給することがなく、低負荷時においても最適な熱媒体量を熱交換器に供給できるので、熱交換効率を良好に維持して省エネルギとなすことができる。
【発明を実施するための最良の形態】
【００１４】
本実施形態に係る空調設備は、熱媒体を循環させる熱媒体循環流路の中途に熱交換器を設け、この熱交換器により熱交換して温調した空気を空調対象空間へ送風可能としたものであり、前記熱媒体循環流路の往路と復路との間に、複数の熱交換器を並列状態に多段に配設するとともに、前記往路と各熱交換器との間にそれぞれ二方弁を介設し、負荷に応じて前記二方弁を選択的に開閉させて温度制御を行うように構成したことに特徴がある。
【００１５】
本実施形態では、上記熱交換器を送風機などと共に所定のケーシング内に収納配設してエアハンドリングユニットを構成しており、このエアハンドリングユニットにより、例えばビルディングの各フロアにおける空調対象空間を冷暖房可能としている。
【００１６】
また、熱媒体循環流路は、熱媒体としての温水又は冷水（以下「熱媒水」という）を循環可能とした流路であり、熱媒水を貯留するタンクと、送給ポンプとを備えるとともに、前記熱媒水を加熱あるいは冷却する熱源装置を備えている。そして、この熱源装置の下流側に前記熱交換器を具備するエアハンドリングユニットが連通連結されている。本実施形態では、このエアハンドリングユニットの上流側の熱媒体循環流路を往路、下流側を復路と呼ぶ。
【００１７】
上記構成により、負荷の低下に応じて二方弁の開閉を制御して一部のみを開状態にするとともに他を閉状態とすれば、複数の熱交換器のうちの一部にのみ通水可能となるので、従来、空調負荷が低負荷の場合に困難であった熱媒水量の制御が確実に行うことができ、低負荷時には熱媒水量を確実に減じることができる。したがって、熱交換器に無駄なエネルギを供給することがなく、空調設備として省エネルギ化を図ることができる。
【００１８】
また、熱交換器への通水量を減らすに伴い、熱媒体循環流路全体の熱媒水の流量を減らしても熱交換器における熱媒水の流速を略一定に保持することができるので、流速の変化によって熱交換効率に悪影響を及ぼすおそれもない。
【００１９】
また、他の実施形態として、前記往路と前記複数の熱交換器とをそれぞれ連通連結する複数の分岐往路と、前記復路と前記複数の熱交換器とをそれぞれ連通連結する複数の分岐復路とを備え、前記各分岐往路に前記二方弁を配設し、隣接する熱交換器同士のうち、上手側の熱交換器と連通する分岐復路の中途と下手側の熱交換器と連通する分岐往路における前記二方弁の下流側とを三方弁を介して連通連結し、負荷に応じて前記三方弁及び前記二方弁の切り替えを制御して温度制御を行うようにすることもできる。
【００２０】
この場合、負荷の低下に応じて各二方弁の開閉を制御し、上述同様に熱媒水の通水量を必要な量に確実に減じることができる。しかも、そのときに三方弁を制御して熱媒水を複数の熱交換器すべてに通水させることができる。したがって、熱媒水を最適な通水量としながら熱交換器の伝熱面積を有効に利用することが可能となり、往路と復路とで水温差をつけることができるために、効率的な熱交換が行われて省エネルギ化を図ることができる。
【００２１】
さらに他の実施形態として、熱媒体（熱媒水）を循環させる熱媒体循環流路の中途に熱交換器を設け、この熱交換器により熱交換して温調した空気を空調対象空間へ送風する空調設備において、前記熱交換器内に伝熱フィンを共有する複数の熱交換部をそれぞれ独立して設け、各熱交換部と当該熱交換部の上流側をなす前記熱媒体循環流路との間にそれぞれ二方弁を介設し、負荷に応じて前記二方弁を選択的に開閉させて温度制御を行うこともできる。
【００２２】
すなわち、フィン一体型の単一の熱交換器内に、前記伝熱フィンを共有する複数の熱交換部を区画形成し、二方弁を制御することで、熱交換器内に通水部と非通水部とを生じさせ、空調負荷に応じて各二方弁の開閉を制御して一部のみを開状態にするとともに他を閉状態とすれば、複数の熱交換器のうちの一部にのみ通水可能となる。
【００２３】
したがって、この場合でも低負荷時には熱媒水量を確実に減じることができるととともに、伝熱フィンを共有しているので伝熱面積を有効利用でき、往路と復路とで水温差つけることができるために、効率的な熱交換が行われて省エネルギ化を図ることができる。
【００２４】
ところで、前記二方弁や三方弁は電動弁であり、これら電動弁を開閉駆動する制御装置についても、前記エアハンドリングユニット内に収納しておくことができる。
【００２５】
このように、電動弁と計装を一体的に収納配設することで、従来、電動弁や計装の設置工事についてはエアハンドリングユニット設置時の現場工事に委ねられていたものが不要となって、工事費用についても低減化を図ることができる。
【００２６】
ここで、熱媒体循環流路の中途に設けた熱交換器に熱媒水を流す場合、低負荷時においても、熱媒水は乱流域で流すことが好ましい。乱流域で熱媒水を流すことにより、熱伝達効率の向上を図ることができるからである。
【００２７】
なお、熱源装置からの熱媒水を、並列に複数台配置した熱交換器にポンプを介して流す際に、熱媒水を低負荷時に乱流域で流して空調設備の温度制御を行う技術については、本願の発明者の一人である田鍋晃一の発明によるものであり、特開２００６−３８３４３号公報に詳細に開示されている。
【００２８】
以下、本発明の第１実施例に係る空調設備について図面を用いて説明する。
【００２９】
（第１実施例）
図１は第１実施例に係る空調設備の模式的説明図、図２は同空調設備が備える空調機１の説明図、図３及び図４は同空調設備の動作を示すフローチャートである。
【００３０】
本実施例に係る空調設備の基本構成は、先の背景技術の欄で説明した内容と略同じであり、図１に示すように、温水又は冷水である熱媒水を循環させる熱媒体循環流路２の中途に、熱交換器１０及び送風機１１を備えたエアハンドリングユニットからなる空調機１を設け、この空調機１により熱交換することにより、空調対象空間となる複数の室Ｒに送風ダクト３を通して温風あるいは冷風を送り空調するようにしている。３０は送風ダクト３の中途に設けた風量調整装置であり、各室Ｒからの図示しないコントローラからの指示信号によりダクト内の通風面積を可変可能としている。また、３１は各室Ｒに送風されるエアの温度を検出する温度センサである。なお、空調設備としては、空調規模に応じて熱媒体循環流路２への空調機１の設置数を宜決定することができる。
【００３１】
また、図１中、Ｎは熱媒水を貯留するタンクであり、このタンクＮから複数（本実施例では３本）の圧送流路４を介して所定流量の熱媒水が前記熱媒体循環流路２に圧送されて循環する。複数の圧送流路４は、熱媒体循環流路２における前記空調機１の上流側をなす往路２１に合流しており、圧送された熱媒水は、空調機１の熱交換器１０によって熱交換された後、空調機１の下流側をなす復路２２から前記タンクＮに戻る。Ｑは各圧送流路４に配設した熱源装置であり、この熱源装置Ｑによって熱媒水を加熱又は冷却して温水又は冷水にすることができる。なお、Ｐは熱源装置Ｑと前記タンクＮとの間に配設したポンプである。
【００３２】
熱源装置Ｑ及びポンプＰは、熱源・ポンプ制御装置６と電気的に接続しており、この熱源・ポンプ制御装置６は、前記往路２１に設けた圧力センサ６１が検知した圧力に応じて前記熱源装置Ｑ及びポンプＰのオン・オフを制御することができ、熱交換器１０ａ，１０ｂ，１０ｃ内で効率良く熱交換できる乱流が生起するような所定の流速で熱媒水が循環するように各ポンプＰのオン・オフを制御している。
【００３３】
図２に示すように、空調機１は、ケーシング１２内に複数（本実施例では３個としている）の熱交換器１０ａ，１０ｂ，１０ｃと１個の送風機１１とを収納配設しており、各熱交換器１０ａ，１０ｂ，１０ｃは、はそれぞれ熱媒体循環流路２の往路２１から分岐した分岐往路２１ａ，２１ｂ，２１ｃと電動二方弁５１，５２，５３を介して連通連結している。また、前記復路２２と前記複数の熱交換器１０ａ，１０ｂ，１０ｃとは、それぞれ複数の分岐復路２２ａ，２２ｂ，２２ｃにより連通連結している。
【００３４】
また、各分岐往路２１ａ，２１ｂ，２１ｃには、前記電動二方弁５１，５２，５３の上流側に定流量弁５４をそれぞれ設けている。
【００３５】
このように、本実施例に係る空調設備では、熱媒体循環流路２の往路２１と復路２２との間に、３個の熱交換器１０ａ，１０ｂ，１０ｃを並列状態に多段に配設するとともに、前記往路２１と各熱交換器（１０ａ，１０ｂ，１０ｃ）との間にそれぞれ電動二方弁５１，５２，５３を介設し、負荷に応じて前記電動二方弁５１，５２，５３を選択的に開閉させて温度制御を行うように構成している。
【００３６】
前記電動二方弁５１，５２，５３は、空調機１のケーシング１２内に前記熱交換器１０ａ，１０ｂ，１０ｃ及び送風機１１と共に収納配設された温度制御装置１３と電気的に接続されており、この温度制御装置１３は、前記温度センサ３１と電気的に接続している。
【００３７】
そして、温度センサ３１により検出した温度に基いて、空調負荷が小さいと温度制御装置１３が判断した場合は、電動二方弁（５１，５２，５３）を選択的に閉弁し、閉弁した電動二方弁（５１，５２，５３）に連通する熱交換器（１０ａ，１０ｂ，１０ｃ）への通水を遮断するようにしている。
【００３８】
本実施例では、上述したように、各熱交換器（１０ａ，１０ｂ，１０ｃ）に連通連結した各分岐往路（２１ａ，２１ｂ，２１ｃ）には、各電動二方弁（５１，５２，５３）の上流側に定流量弁５４をそれぞれ設けているため、前記電動二方弁５１，５２，５３のいずれか、例えば電動二方弁５１を閉じた場合でも、他の熱交換器１０ｂ，１０ｃに過剰な熱媒水が流入することがなく、熱交換器全体に流れ込む熱媒水量を確実に減じることができる。また、このとき、熱交換器１０ｂ，１０ｃ内においては一定の流量が維持されるため、熱交換率も一定となり、乱流域での通水が維持可能となる。
【００３９】
ところで、電動二方弁５１，５２，５３は、オン・オフ制御されて開弁状態と閉弁状態とのいずれかの状態をとるもので、ここでは、電動二方弁５１，５２，５３のうち１個閉じれば熱媒水の流量が２／３になり、二個閉じれば１／３になるようにしている。しかし、流量については、定流量弁の選定によって、どのようにも調整することは可能である。
【００４０】
このように、本実施例によれば、負荷に応じて熱交換される熱媒水の量を確実に減じることができ、必要な流量に応じて前記熱源装置ＱやポンプＰなどを効率良く駆動させて低負荷時においても最適な熱媒水量を所定の熱交換器（１０ａ，１０ｂ，１０ｃのいずれか）に供給できるため、熱交換器１０ａ，１０ｂ，１０ｃへ無駄なエネルギを供給することがない。また、熱媒水の流速も略一定に保持することが可能なために、熱交換効率を良好に維持して省エネルギとなすことができる。
【００４１】
なお、上記構成の空調設備の全体の動作は、ＣＰＵ等を有するマイクロコンピュータを備えた主制御装置（図示せず）により制御されており、この主制御装置は、各室Ｒに配設したコントローラや前記熱源・ポンプ制御装置６や温度制御装置１３と電気的に接続している。
【００４２】
以上のように構成された第１実施例の空調設備の動作について、図３及び図４を参照しながら説明する。なお、説明を容易にするため、ここでは単一の室Ｒの空調を単一の空調機１で行う場合とする。
【００４３】
図３に示すように、主制御装置は、まず外部からの空調要求が暖房か冷房かを判断し（ステップＳ１）、冷房の場合はステップＳ２へ、暖房の場合はステップＳ３（図４）へ処理を移す。
【００４４】
冷房の場合、主制御装置は空調設備の冷房運転を起動し（ステップＳ２）、温度制御装置１３に全ての電動二方弁５１，５２，５３にＯＮ信号を供給させ、初期状態としてこれらを開弁状態とする（ステップＳ４）。
【００４５】
冷水からなる熱媒水が熱媒体循環流路２を流れ冷房運転が開始される中で、室Ｒからの要求設定温度Ｔ０と温度センサ３１により検出した検出温度Ｔとを比較し（ステップＳ５）、検出温度Ｔが要求設定温度Ｔ０よりも低い場合、負荷に対して熱媒水が過剰流量であると判定され、主制御装置は温度制御装置１３に電動二方弁５１，５２，５３のいずれか一つを閉弁させる指令信号を出力し、温度制御装置１３は電動二方弁５１，５２，５３のいずれか一つに０ＦＦ信号を出力して閉弁し（ステップＳ６）、図１及び図２に示した熱交換器（１０ａ，１０ｂ，１０ｃ）全体への熱媒水の流量を２／３に減じる。例えば、ここでは電動二方弁５１を閉弁するものとし、この場合、熱媒体循環流路２の最上流側に配置された熱交換器１０ａには熱媒水は流れず、熱交換器１０ｂ，１０ｃにのみ流れて熱交換される。
【００４６】
このように、熱交換される熱媒水の流量が実質的に減ることによって、熱交換される熱量も小さくなって冷房能力も減少する。
【００４７】
主制御装置は、温度制御装置１３を介して引き続き温度センサ３１からの検出温度Ｔを監視しており、検出温度Ｔと要求設定温度Ｔ０とを比較して（ステップＳ７）、未だ検出温度Ｔが要求設定温度Ｔ０よりも低い場合、負荷に対して熱媒水が未だ過剰流量であると判定され、主制御装置は温度制御装置１３に電動二方弁５２，５３のいずれか一方を閉弁させる指令信号を出力し、温度制御装置１３は電動二方弁５２，５３のいずれか一方に０ＦＦ信号を出力して閉弁し（ステップＳ８）、図１及び図２に示した熱交換器（１０ａ，１０ｂ，１０ｃ）全体への熱媒水の流量を１／３に減じ、この状態を維持して空調が継続される。なお、前記ステップＳ７において、検出温度Ｔが要求設定温度Ｔ０以上であれば、熱媒水の流量を２／３のまま維持して空調が継続される。
【００４８】
冷房運転中、割込処理によって定期的に冷房運転の停止信号が出力されたか否かを判定し（ステップＳ９）、停止信号が出力されない限り、ステップＳ５に戻って現状の冷房運転を継続するが、ステップＳ５において要求設定温度Ｔ０と温度センサ３１により検出した検出温度Ｔとを比較し、検出温度Ｔが要求設定温度Ｔ０以上となれば、電動二方弁５１が閉状態であるか否かを判定し（ステップＳ１０）、閉の場合は電動二方弁５１を開状態となるように動作制御し（ステップＳ１１）、続いて電動二方弁５２が閉状態であるか否かを判定し（ステップＳ１２）、閉の場合は電動二方弁５２を開状態となるように動作制御して（ステップＳ１３）、熱媒水の通水量を増加させる。
【００４９】
ステップＳ９において、冷房運転の停止信号が検出されると、主制御装置は冷房運転を停止すべき空調機１の送風機１１の駆動を停止させ（ステップＳ１４）、さらに、電動二方弁５１，５２，５３が全て閉状態となるように温度制御装置１３に制御信号を出力して閉弁し（ステップＳ１５）、本冷房運転の動作を終了する。
【００５０】
一方、図４に示すように、暖房の場合、主制御装置は空調設備の冷房運転を起動し（ステップＳ３）、温度制御装置１３に全ての電動二方弁５１，５２，５３にＯＮ信号を供給させ、初期状態としてこれらを開弁状態とする（ステップＳ１６）。
【００５１】
温水からなる熱媒水が熱媒体循環流路２を流れ暖房運転が開始される中で、室Ｒからの要求設定温度Ｔ１と温度センサ３１により検出した検出温度Ｔとを比較し（ステップＳ１７）、検出温度Ｔが要求設定温度Ｔ１よりも高い場合、負荷に対して熱媒水が過剰流量であると判定され、主制御装置は温度制御装置１３に電動二方弁５１，５２，５３のいずれか一つを閉弁させる指令信号を出力し、温度制御装置１３は電動二方弁５１，５２，５３のいずれか一つに０ＦＦ信号を出力して閉弁し（ステップＳ１８）、図１及び図２に示した熱交換器（１０ａ，１０ｂ，１０ｃ）全体への熱媒水の流量を２／３に減じる。例えば、ここでは電動二方弁５１を閉弁するものとし、この場合、熱媒体循環流路２の最上流側に配置された熱交換器１０ａには熱媒水は流れず、熱交換器１０ｂ，１０ｃにのみ流れて熱交換される。
【００５２】
このように、熱交換される温水の流量が実質的に減ることによって、熱交換される熱量も小さくなって暖房能力も減少する。
【００５３】
主制御装置は、温度制御装置１３を介して引き続き温度センサ３１からの検出温度Ｔを監視しており、検出温度Ｔと要求設定温度Ｔ１とを比較して（ステップＳ１９）、未だ検出温度Ｔが要求設定温度Ｔ１よりも高い場合、負荷に対して熱媒水が未だ過剰流量であると判定され、主制御装置は温度制御装置１３に電動二方弁５２，５３のいずれか一方を閉弁させる指令信号を出力し、温度制御装置１３は電動二方弁５２，５３のいずれか一方に０ＦＦ信号を出力して閉弁し（ステップＳ２０）、図１及び図２に示した熱交換器（１０ａ，１０ｂ，１０ｃ）全体への熱媒水の流量を１／３に減じ、この状態を維持して空調が継続される。なお、前記ステップＳ１９において、検出温度Ｔが要求設定温度Ｔ１以下であれば、熱媒水の流量を２／３のまま維持して空調が継続される。
【００５４】
暖房運転中、割込処理によって定期的に暖房運転の停止信号が出力されたか否かを判定し（ステップＳ２１）、停止信号が出力されない限り、ステップＳ１７に戻って現状の暖房運転を継続するが、ステップＳ１７において要求設定温度Ｔ１と温度センサ３１により検出した検出温度Ｔとを比較し、検出温度Ｔが要求設定温度Ｔ１以下となれば、電動二方弁５３が閉状態であるか否かを判定し（ステップＳ２２）、閉の場合は電動二方弁５３を開状態となるように動作制御し（ステップＳ２３）、続いて電動二方弁５２が閉状態であるか否かを判定し（ステップＳ２４）、閉の場合は電動二方弁５２を開状態となるように動作制御する（ステップＳ２５）。
【００５５】
ステップＳ２１において、暖房運転の停止信号が検出されると、図３に示すように、主制御装置は暖房運転を停止すべき空調機１の送風機１１の駆動を停止させ（ステップＳ１４）、さらに、電動二方弁５１，５２，５３が全て閉状態となるように温度制御装置１３に制御信号を出力して閉弁し（ステップＳ１５）、本暖房運転の動作を終了する。
【００５６】
このように、本実施例では、空調負荷が小さくなれば、それに応じて熱媒水の熱交換器（１０ａ，１０ｂ，１０ｃ）全体への通水量を全量から１／３あるいは２／３のいずれかに確実に減少させることができ、熱交換器に無駄なエネルギを供給することがない。しかも、本実施例では、電動二方弁５１，５２，５３のいずれかが閉弁すると、それに応じて熱源・ポンプ制御装置６により複数のポンプＰのいずれかの動作を停止させるようにし、熱媒水の通水量全体を減じるようにしている。さらにポンプＰの駆動数に応じて熱源装置Ｑにいずれかの動作を停止することによって、空調設備として全体的な省エネルギ化を図ることができる。
【００５７】
また、空調機１のケーシング１２内に、電動二方弁５１，５２，５３及び温度制御装置１３を予め収納配設していることから、空調機１の設置工事が簡素化され、工事費用についても低減化を図ることができる。
【００５８】
（第２実施例）
以下、第２実施例に係る空調設備について説明する。なお、第２実施例で第１実施例と異なるのは空調機１の構成のみであり、その他の構成については同じであることから、同一構成要素については同一符号で示し、その説明も省略する。
【００５９】
図５は第２実施例に係る空調設備の模式的説明図、図６は同空調設備が備える空調機１の説明図、図７及び図８は同空調設備の動作を示すフローチャート、図９は空調機内を流れる熱媒水の流路の説明図である。
【００６０】
図５及び図６に示すように、本実施例に係る空調設備は、実施例１で説明した空調設備同様、往路２１と複数の熱交換器１０ａ，１０ｂ，１０ｃとをそれぞれ連通連結する複数の分岐往路２１ａ，２１ｂ，２１ｃ及び前記復路２２と前記複数の熱交換器１０ａ，１０ｂ，１０ｃとをそれぞれ連通連結する複数の分岐復路２２ａ，２２ｂ，２２ｃとを備えている。
【００６１】
そして、前記各分岐往路２１ａ，２１ｂ，２１ｃに前記電動二方弁５１，５２，５３を配設し、隣接する熱交換器（１０ａ，１０ｂ，１０ｃ）同士のうち、上手側の熱交換器（１０ａ，１０ｂ）と連通する分岐復路（２２ａ，２２ｂ）の中途と下手側の熱交換器（１０ｂ，１０ｃ）と連通する分岐往路（２１ｂ，２１ｃ）の前記電動二方弁（５２，５３）の下流側とを電動三方弁（７１，７２）を介して連通連結し、負荷に応じて前記電動三方弁（７１，７２）及び前記電動二方弁５１，５２，５３の切り替えを制御して温度制御を行うようにしている。
【００６２】
すなわち、図示するように、最上段側に配置された熱交換器１０ａの分岐復路２２ａの中途と、その下手側に位置する熱交換器１０ｂの分岐往路２１ｂにおける電動二方弁５２の下流側とを電動三方弁７１を介して連通連結するとともに、前記熱交換器１０ｂの分岐復路２２ｂの中途と、その下手側に位置する熱交換器１０ｃの分岐往路２１ｃにおける電動二方弁５３の下流側とを電動三方弁７２を介して連通連結している。なお、電動三方弁７１，７２についても、その制御は主制御装置が前記温度制御装置１３を介して行う。
【００６３】
かかる構成により、第２実施例に係る空調設備は、図７及び図８のフローにしたがって動作することになる。
【００６４】
すなわち、図７に示すように、主制御装置は、まず外部からの空調要求が暖房か冷房かを判断し（ステップＳ３１）し、冷房の場合はステップＳ３２へ、暖房の場合はステップＳ３３（図８）へ処理を移す。
【００６５】
冷房の場合、主制御装置は空調設備の冷房運転を起動し（ステップＳ３２）、温度制御装置１３に全ての電動二方弁５１，５２，５３にＯＮ信号を供給させてこれらを開弁状態とするとともに（ステップＳ３４）、両電動三方弁７１，７２に制御信号を供給させてこれらを流れる熱媒水が右側（＜Ｒ＞）に流れるように流路を規定する（ステップＳ３５）。
【００６６】
この状態では、図９（ａ）に示すように、往路２１からの熱媒水は各電動二方弁５１，５２，５３を介して各熱交換器１０ａ，１０ｂ，１０ｃに流れるとともに、電動三方弁７１，７２を介して全て復路２２に合流して還流する。すなわち、通水量が１００％の状態である。
【００６７】
冷水からなる熱媒水が熱媒体循環流路２を流れ冷房運転が開始される中で、室Ｒからの要求設定温度Ｔ０と温度センサ３１により検出した検出温度Ｔとを比較し（ステップＳ３６）、検出温度Ｔが要求設定温度Ｔ０よりも低い場合、負荷に対して熱媒水が過剰流量であると判定され、主制御装置は温度制御装置１３に電動二方弁５３を閉弁させる指令信号と電動三方弁７２の流路を変更させる指令信号を出力し、温度制御装置１３は電動二方弁５３に０ＦＦ信号を出力して閉弁するとともに（ステップＳ３７）、熱交換器１０ｂから分岐復路２２ｂを通る熱媒水が熱交換器１０ｃに流れるように電動三方弁７２の流路を変更して左側（＜Ｌ＞）に流路をとるように弁を制御する（ステップＳ３８）。
【００６８】
すなわち、図９（ｂ）に示すように、開状態の電動二方弁５１を介して熱交換器１０ａに流れた熱媒水は、熱交換された後に電動三方弁７１を介して復路２２へと流れる一方、開状態の電動二方弁５２を介して熱交換器１０ｂに流れた熱媒水は電動三方弁７２を介してさらに熱交換器１０ｃへ流れて復路２２へと戻る。つまり、往路２１を流れる熱媒水の一部は、熱交換器１０ａ，１０ｂの両方で熱交換されることになる。なお、電動二方弁５３は閉状態なので熱媒水は熱交換器１０ｃへは流れず、全体として熱交換される水量は当初の２／３となる。
【００６９】
このように、熱交換される熱媒水の量が実質的に減ることによって、熱交換される熱量も小さくなって冷房能力も減少する。
【００７０】
ところで、本実施例では、上述したように負荷に応じて電動二方弁５１，５２，５３及び電動三方弁７１，７２を制御して通水量を減じても、熱媒水は複数の熱交換器１０ａ，１０ｂ，１０ｃの全てを通ることになるので伝熱面積（各熱交換器の伝熱フィン）を有効に利用することができ、往路２１と復路２２とで熱媒水の温度差をつけることができる。したがって、低負荷時であっても熱交換率を低下させることがなく、結果的に空調設備全体の省エネルギ化が図れる。
【００７１】
主制御装置は、温度制御装置１３を介して引き続き温度センサ３１からの検出温度Ｔを監視しており、検出温度Ｔと要求設定温度Ｔ０とを比較して（ステップＳ３９）、未だ検出温度Ｔが要求設定温度Ｔ０よりも低い場合、負荷に対して熱媒水が未だ過剰流量であると判定され、主制御装置は温度制御装置１３に電動二方弁５２を閉弁させる指令信号と電動三方弁７１の流路を変更させる指令信号を出力し、温度制御装置１３は電動二方弁５２に０ＦＦ信号を出力して閉弁するとともに（ステップＳ４０）、熱交換器１０ａから分岐復路２２ａを通る熱媒水が熱交換器１０ｂに流れるように電動三方弁７１の流路を変更して左側（＜Ｌ＞）に流路をとるように弁を制御する（ステップＳ４１）。
【００７２】
この場合、図９（ｃ）に示すように、唯一開状態である電動二方弁５１を介して熱交換器１０ａに流れた熱媒水は、熱交換された後に電動三方弁７１を介して熱交換器１０ｂへと流れ、熱交換器１０ｂに流れた熱媒水は電動三方弁７２を介してさらに熱交換器１０ｃへ流れて復路２２へと戻ることになる。つまり、全体として通水量は当初の１／３となり、なおかつ通水された熱媒水は全ての熱交換器１０ａ，１０ｂ，１０ｃで熱交換されることになるので、伝熱面積（各熱交換器の伝熱フィン）を有効に利用することができ、往路２１と復路２２とで熱媒水の温度差をつけることができる。
【００７３】
この状態を維持して空調が継続されるが、前記ステップＳ３９において、検出温度Ｔが要求設定温度Ｔ０以上であれば、熱媒水の流量を２／３のまま維持して空調が継続されることになる。
【００７４】
冷房運転中、割込処理によって定期的に冷房運転の停止信号が出力されたか否かを判定し（ステップＳ４２）、停止信号が出力されない限り、ステップＳ３６に戻って現状の冷房運転を継続するが、ステップＳ３６において要求設定温度Ｔ０と温度センサ３１により検出した検出温度Ｔとを比較し、検出温度Ｔが要求設定温度Ｔ０以上となれば、電動二方弁５３が閉状態であるか否かを判定し（ステップＳ４３）、閉の場合は電動二方弁５３を開状態となるように動作制御するとともに（ステップＳ４４）、電動三方弁７２の流路を右側（＜Ｒ＞）になるように制御し（ステップＳ４５）、続いて電動二方弁５２が閉状態であるか否かを判定し（ステップＳ４６）、閉の場合は電動二方弁５２を開状態となるように動作制御するとともに（ステップＳ４７）、電動三方弁７１の流路を右側（＜Ｒ＞）になるように制御して（ステップＳ４８）、熱媒水の通水量を増加させる。
【００７５】
ステップＳ４２において、冷房運転の停止信号が検出されると、主制御装置は冷房運転を停止すべき空調機１の送風機１１の駆動を停止させ（ステップＳ４９）、さらに、電動二方弁５１，５２，５３が全て閉状態となるように温度制御装置１３に制御信号を出力して閉弁するとともに（ステップＳ５０）、電動三方弁７１，７２における流路が右側（＜Ｒ＞）になるように制御して（ステップＳ５１）本冷房運転の動作を終了する。
【００７６】
一方、図８に示すように、暖房の場合、主制御装置は空調設備の冷房運転を起動し（ステップＳ３３）、温度制御装置１３に全ての電動二方弁５１，５２，５３にＯＮ信号を供給させるとともに（ステップＳ５２）、二つの電動三方弁７１，７２に制御信号を供給させてこれらを流れる熱媒水が右側（＜Ｒ＞）に流れるように流路を規定する（ステップＳ５３）。
【００７７】
温水からなる熱媒水が熱媒体循環流路２を流れ暖房運転が開始される中で、室Ｒからの要求設定温度Ｔ１と温度センサ３１により検出した検出温度Ｔとを比較し（ステップＳ５４）、検出温度Ｔが要求設定温度Ｔ１よりも高い場合、負荷に対して熱媒水が過剰流量であると判定され、主制御装置は温度制御装置１３に電動二方弁５３を閉弁させる指令信号を出力し、温度制御装置１３は電動二方弁５３に０ＦＦ信号を出力して閉弁するとともに（ステップＳ５５）、電動三方弁７２に制御信号を供給させてこれを流れる熱媒水が左側（＜Ｌ＞）に流れるように流路を規定する（ステップＳ５６）。この場合も冷房運転中同様に、熱交換器（１０ａ，１０ｂ，１０ｃ）全体への熱媒水の流量が２／３に減じられる（図９（ｂ）参照）。
【００７８】
このように、熱交換される温水の流量が実質的に減ることによって、熱交換される熱量も小さくなって暖房能力も減少する。
【００７９】
主制御装置は、温度制御装置１３を介して引き続き温度センサ３１からの検出温度Ｔを監視しており、検出温度Ｔと要求設定温度Ｔ１とを比較して（ステップＳ５７）、未だ検出温度Ｔが要求設定温度Ｔ１よりも高い場合、負荷に対して熱媒水が未だ過剰流量であると判定され、主制御装置は温度制御装置１３に電動二方弁５２を閉弁させる指令信号を出力するとともに、電動三方弁７１に制御信号を供給させ、電動二方弁５２を閉弁するとともに（ステップＳ５８）、電動三方弁７１の左側（＜Ｌ＞）に熱外水が流れるように規定する（ステップＳ５９）。こうして、熱交換器（１０ａ，１０ｂ，１０ｃ）全体への熱媒水の流量を１／３に減じ、この状態を維持して空調が継続される。なお、前記ステップＳ５７において、検出温度Ｔが要求設定温度Ｔ１以下であれば、熱媒水の流量を２／３のまま維持して空調が継続される。
【００８０】
暖房運転中、割込処理によって定期的に暖房運転の停止信号が出力されたか否かを判定し（ステップＳ６０）、停止信号が出力されない限り、ステップＳ５４に戻って現状の暖房運転を継続するが、ステップＳ５４において要求設定温度Ｔ１と温度センサ３１により検出した検出温度Ｔとを比較し、検出温度Ｔが要求設定温度Ｔ１以下となれば、電動二方弁５３が閉状態であるか否かを判定し（ステップＳ６１）、閉の場合は電動二方弁５３を開状態となるように動作制御し（ステップＳ６２）、続いて電動二方弁５２が閉状態であるか否かを判定し（ステップＳ６３）、閉の場合は電動二方弁５２を開状態となるように動作制御する（ステップＳ６４）とともに、電動三方弁７１の流路を右側（＜Ｒ＞）になるように制御して（ステップＳ６５）、熱媒水の通水量を増加させる。
【００８１】
ステップＳ６０において、暖房運転の停止信号が検出されると、図７に示すように、主制御装置は暖房運転を停止すべき空調機１の送風機１１の駆動を停止させ（ステップＳ４９）、さらに、電動二方弁５１，５２，５３が全て閉状態となるように温度制御装置１３に制御信号を出力して閉弁するとともに（ステップＳ５０）、電動三方弁７１，７２における流路が右側（＜Ｒ＞）になるように制御して（ステップＳ５１）本暖房運転の動作を終了する。
【００８２】
このように、本実施例においても、空調負荷が小さくなれば、それに応じて熱媒水の熱交換器（１０ａ，１０ｂ，１０ｃ）全体への通水量を全量から１／３あるいは２／３に確実に減少させることができ、熱交換器に無駄なエネルギを供給することがない。しかも、通水量を減少しても熱媒水は全ての熱交換器１０ａ，１０ｂ，１０ｃを通過して熱交換されることになるので、伝熱面積（各熱交換器の伝熱フィン）を有効に利用することができ、往路２１と復路２２とで熱媒水の温度差をつけることができる。
【００８３】
また、電動二方弁５１，５２，５３のいずれかが閉弁すると、それに応じて熱源・ポンプ制御装置６により複数のポンプＰのいずれかの動作を停止させるようにし、熱媒水の通水量全体を減じるようにしており、さらにポンプＰの駆動数に応じて熱源装置Ｑにいずれかの動作を停止することによって、空調設備として全体的な省エネルギ化を図ることができる。
【００８４】
また、本実施例においても、空調機１のケーシング１２内に、電動二方弁５１，５２，５３及び電動三方弁７１，７２及び温度制御装置１３を予め収納配設していることから、空調機１の設置工事が簡素化され、工事費用についても低減化を図ることができる。
【００８５】
（第３実施例）
以下、第３実施例に係る空調設備について説明する。なお、第３実施例で第１、第２実施例と異なるのは空調機１の構成のみであり、その他の構成については同じであることから、同一構成要素については同一符号で示し、その説明も省略する。
【００８６】
図１０は第３実施例に係る空調設備の模式的説明図、図１１は同空調設備が備える空調機１の説明図、図１２及び図１３は同空調設備の動作を示すフローチャートである。
【００８７】
図１０及び図１１に示すように、本実施例に係る空調機１は、上述してきたようにな独立した複数の熱交換器１０ａ，１０ｂ，１０ｃに代えて、共通の熱交換器１０内に、伝熱フィン（図示せず）を共有する複数の熱交換部１０ｄ，１０ｅ，１０ｆをそれぞれ独立して設けたものとしている。
【００８８】
そして、各熱交換部１０ｄ，１０ｅ，１０ｆと当該熱交換部１０ｄ，１０ｅ，１０ｆの上流側をなす前記熱媒体循環流路２との間にそれぞれ電動二方弁５１，５２，５３を介設し、負荷に応じて前記電動二方弁５１，５２，５３を選択的に開閉させて温度制御を行うようにしている。
【００８９】
ここでも前記電動二方弁５１，５２，５３は、オン・オフ制御されて開弁状態と閉弁状態とのいずれかの状態をとるもので、電動二方弁５１，５２，５３のうち１個閉じれば熱媒水の流量が２／３になり、二個閉じれば１／３になる。
【００９０】
したがって、本実施例によれば、負荷に応じて熱媒水の通水量を確実に減じることができ、前記熱源装置ＱやポンプＰなどを効率良く駆動させることができるため、熱交換器１０へ無駄なエネルギを供給することがなく、しかも、熱媒水の通水量を減じても、伝熱フィンが共用なので伝熱面積を有効利用でき、往路２１と復路２２とで水温差をつけることができ、熱交換効率を良好に維持して省エネルギとなすことができる。
【００９１】
ここで、第３実施例の空調設備の動作について、図１２及び図１３を参照しながら説明する。
【００９２】
図１２に示すように、主制御装置は、まず外部からの空調要求が暖房か冷房かを判断し（ステップＳ７１）し、冷房の場合はステップＳ７２へ、暖房の場合はステップＳ７３（図１３）へ処理を移す。
【００９３】
冷房の場合、主制御装置は空調設備の冷房運転を起動し（ステップＳ７２）、温度制御装置１３に全ての電動二方弁５１，５２，５３にＯＮ信号を供給させ、初期状態としてこれらを開弁状態とする（ステップＳ７４）。
【００９４】
冷水からなる熱媒水が熱媒体循環流路２を流れ冷房運転が開始される中で、室Ｒからの要求設定温度Ｔ０と温度センサ３１により検出した検出温度Ｔとを比較し（ステップＳ７５）、検出温度Ｔが要求設定温度Ｔ０よりも低い場合、負荷に対して熱媒水が過剰流量であると判定され、主制御装置は温度制御装置１３に電動二方弁５３を閉弁させる指令信号を出力し、温度制御装置１３は電動二方弁５３に０ＦＦ信号を出力して閉弁し（ステップＳ７６）、図１０及び図１１に示した熱交換器１０（１０ｄ，１０ｅ，１０ｆ）への熱媒水の流量を２／３に減じる。すなわち、ここでは電動二方弁５３が閉弁されたので、熱交換器１０内で最下流側に位置する熱交換部１０ｆには熱媒水は流れ込まず、熱媒水全体の２／３が熱交換器１０に流入する。しかし、この場合、熱交換部１０ｄ，１０ｅ，１０ｆで伝熱フィンが共用されているので、伝熱面積は有効に利用されることになる。
【００９５】
主制御装置は、温度制御装置１３を介して引き続き温度センサ３１からの検出温度Ｔを監視しており、検出温度Ｔと要求設定温度Ｔ０とを比較して（ステップＳ７７）、未だ検出温度Ｔが要求設定温度Ｔ０よりも低い場合、負荷に対して熱媒水が未だ過剰流量であると判定され、主制御装置は温度制御装置１３に電動二方弁５１を閉弁させる指令信号を出力し、温度制御装置１３は電動二方弁５１に０ＦＦ信号を出力して閉弁し（ステップＳ７８）、図１０及び図１１に示した熱交換器１０への熱媒水の流量を１／３に減じ、この状態を維持して空調が継続される。
【００９６】
ここで、現在閉状態である電動二方弁５３と連通する熱交換部１０ｆに隣接した熱交換部１０ｅと連通する電動二方弁５２ではなく、熱交換器１０内の最上流側に位置する熱交換部１０ｄと連通する電動二方弁５１を閉状態としたのは、通水量を１／３とした場合でも伝熱フィン全体をより有効に利用できるようにするためである。
【００９７】
なお、前記ステップＳ７７において、検出温度Ｔが要求設定温度Ｔ０以上であれば、熱媒水の流量を２／３のまま維持して空調が継続される。
【００９８】
冷房運転中、割込処理によって定期的に冷房運転の停止信号が出力されたか否かを判定し（ステップＳ７９）、停止信号が出力されない限り、ステップＳ７５に戻って現状の冷房運転を継続するが、ステップＳ７５において要求設定温度Ｔ０と温度センサ３１により検出した検出温度Ｔとを比較し、検出温度Ｔが要求設定温度Ｔ０以上となれば、電動二方弁５３が閉状態であるか否かを判定し（ステップＳ８０）、閉の場合は電動二方弁５３を開状態となるように動作制御し（ステップＳ８１）、続いて電動二方弁５１が閉状態であるか否かを判定し（ステップＳ８２）、閉の場合は電動二方弁５１を開状態となるように動作制御して（ステップＳ８３）、熱媒水の通水量を増加させる。
【００９９】
ステップＳ７９において、冷房運転の停止信号が検出されると、主制御装置は冷房運転を停止すべき空調機１の送風機１１の駆動を停止させ（ステップＳ８４）、さらに、電動二方弁５１，５２，５３が全て閉状態となるように温度制御装置１３に制御信号を出力して閉弁し（ステップＳ８５）、本冷房運転の動作を終了する。
【０１００】
一方、図１３に示すように、暖房の場合、主制御装置は空調設備の冷房運転を起動し（ステップＳ７３）、温度制御装置１３に全ての電動二方弁５１，５２，５３にＯＮ信号を供給させ、初期状態としてこれらを開弁状態とする（ステップＳ８６）。
【０１０１】
温水からなる熱媒水が熱媒体循環流路２を流れ暖房運転が開始される中で、室Ｒからの要求設定温度Ｔ１と温度センサ３１により検出した検出温度Ｔとを比較し（ステップＳ８７）、検出温度Ｔが要求設定温度Ｔ１よりも高い場合、負荷に対して熱媒水が過剰流量であると判定され、主制御装置は温度制御装置１３に電動二方弁５３を閉弁させる指令信号を出力し、温度制御装置１３は電動二方弁５３に０ＦＦ信号を出力して閉弁し（ステップＳ８８）、図１０及び図１１に示した熱交換器１０（１０ｄ，１０ｅ，１０ｆ）全体への熱媒水の流量を２／３に減じる。
【０１０２】
主制御装置は、温度制御装置１３を介して引き続き温度センサ３１からの検出温度Ｔを監視しており、検出温度Ｔと要求設定温度Ｔ１とを比較して（ステップＳ８９）、未だ検出温度Ｔが要求設定温度Ｔ１よりも高い場合、負荷に対して熱媒水が未だ過剰流量であると判定され、主制御装置は温度制御装置１３に電動二方弁５１を閉弁させる指令信号を出力し、温度制御装置１３は電動二方弁５９に０ＦＦ信号を出力して閉弁し（ステップＳ９０）、図１０及び図１１に示した熱交換器１０（１０ｄ，１０ｅ，１０ｆ）全体への熱媒水の流量を１／３に減じ、この状態を維持して空調が継続される。なお、前記ステップＳ８９において、検出温度Ｔが要求設定温度Ｔ１以下であれば、熱媒水の流量を２／３のまま維持して空調が継続される。
【０１０３】
暖房運転中、割込処理によって定期的に暖房運転の停止信号が出力されたか否かを判定し（ステップＳ９１）、停止信号が出力されない限り、ステップＳ８７に戻って現状の暖房運転を継続するが、ステップＳ８７において要求設定温度Ｔ１と温度センサ３１により検出した検出温度Ｔとを比較し、検出温度Ｔが要求設定温度Ｔ１以下となれば、電動二方弁５３が閉状態であるか否かを判定し（ステップＳ９２）、閉の場合は電動二方弁５３を開状態となるように動作制御し（ステップＳ９３）、続いて電動二方弁５１が閉状態であるか否かを判定し（ステップＳ９４）、閉の場合は電動二方弁５１を開状態となるように動作制御する（ステップＳ９５）。
【０１０４】
ステップＳ９１において、暖房運転の停止信号が検出されると、図１２に示すように、主制御装置は暖房運転を停止すべき空調機１の送風機１１の駆動を停止させ（ステップＳ８４）、さらに、電動二方弁５１，５２，５３が全て閉状態となるように温度制御装置１３に制御信号を出力して閉弁し（ステップＳ８５）、本暖房運転の動作を終了する。
【０１０５】
このように、本実施例においても、空調負荷が小さくなれば、それに応じて熱媒水の熱交換器１０（１０ｄ，１０ｅ，１０ｆ）全体への通水量を全量から１／３あるいは２／３のいずれかに確実に減少させることができ、熱交換器に無駄なエネルギを供給することがない。しかも、本実施例においても、電動二方弁５１，５２，５３のいずれかが閉弁すると、それに応じて熱源・ポンプ制御装置６により複数のポンプＰのいずれかの動作を停止させるようにし、熱媒水の通水量全体を減じるとともに、熱交換器１０内の熱媒水の流量を略一定に保持することができ、さらにポンプＰの駆動数に応じて熱源装置Ｑにいずれかの動作を停止することにしているため、空調設備として全体的な省エネルギ化を図ることができる。
【０１０６】
また、この場合、単一の熱交換器１０の内部のみを熱交換部１０ｄ，１０ｅ，１０ｆに区画形成しているので、独立した熱交換器１０同士を連通連結する必要がなく、よりコンパクトな構成とすることができ、電動二方弁５１，５２，５３及び温度制御装置１３を予め収納配設する空調機１のケーシング１２としても小型化を図ることができる。そして、この場合も一つのケーシング１２に電動二方弁５１，５２，５３及び温度制御装置１３などを予め収納配設していることから、空調機１の設置工事が簡素化され、工事費用についても低減化を図ることができる。
【０１０７】
以上、本発明を上述した各実施例を通して説明したが、本発明は各実施例に限定されるものではなく、発明の要旨を逸脱することのない限り適宜設計変更することもできる。
【図面の簡単な説明】
【０１０８】
【図１】第１実施例に係る空調設備の模式的説明図である。
【図２】同空調設備が備える空調機１の説明図である。
【図３】同空調設備の動作を示すフローチャートである。
【図４】同空調設備の動作を示すフローチャートである。
【図５】第２実施例に係る空調設備の模式的説明図である。
【図６】同空調設備が備える空調機１の説明図である。
【図７】同空調設備の動作を示すフローチャートである。
【図８】同空調設備の動作を示すフローチャートである。
【図９】空調機内を流れる熱媒水の流路の説明図である。
【図１０】第３実施例に係る空調設備の模式的説明図である。
【図１１】同空調設備が備える空調機１の説明図である。
【図１２】同空調設備の動作を示すフローチャートである。
【図１３】同空調設備の動作を示すフローチャートである。
【図１４】従来の空調設備を示す模式的説明図である。
【符号の説明】
【０１０９】
１  空調機
２  熱媒体循環流路
１０  熱交換器
２１  往路
２２  復路
２１ａ，２１ｂ，２１ｃ  分岐往路
２２ａ，２２ｂ，２２ｃ  分岐復路
５１，５２，５３  電動二方弁
７１，７２  電動三方弁
【図１】
2007132651.tif 000003
【図２】
2007132651.tif 000004
【図３】
2007132651.tif 000005
【図４】
2007132651.tif 000006
【図５】
2007132651.tif 000007
【図６】
2007132651.tif 000008
【図７】
2007132651.tif 000009
【図８】
2007132651.tif 000010
【図９】
2007132651.tif 000011
【図１０】
2007132651.tif 000012
【図１１】
2007132651.tif 000013
【図１２】
2007132651.tif 000014
【図１３】
2007132651.tif 000015
【図１４】
2007132651.tif 000016